(57)【特許請求の範囲】
【請求項１】
基地局と各種信号を送受信する通信部と、
第１の基地局に対する位置登録に失敗すると、これまで位置登録していた第２の基地局から前記通信部が受信する信号の強度が通信可能なレベルにあるか否か判定し、前記第２の基地局の信号の強度が通信可能なレベルにあると判定した場合には、前記第２の基地局の通信チャネルを前記通信部に受信させる制御部とを具備することを特徴とする携帯端末。
【請求項２】
前記制御部は、前記第１の基地局に対する位置登録に失敗すると、所定の基地局検出時間が経過した後に前記第２の基地局から受信する信号の強度が通信可能なレベルにあるか否か判定することを特徴とする請求項１記載の携帯端末。
【請求項３】
前記制御部は、前記第１の基地局に対する位置登録に失敗すると、所定の位置登録リトライ時間が経過した後に前記第１の基地局に対する位置登録を前記通信部に再実行させると共に、前記基地局検出時間を前記位置登録リトライ時間より短く設定することを特徴とする請求項２記載の携帯端末。
【請求項４】
基地局と各種信号を送受信する通信ステップと、
第１の基地局に対する位置登録に失敗すると、これまで位置登録していた第２の基地局から前記通信ステップが受信する信号の強度が通信可能なレベルにあるか否か判定し、前記第２の基地局の信号の強度が通信可能なレベルにあると判定した場合には、前記第２の基地局の通信チャネルを前記通信ステップに受信させる制御ステップとを具備することを特徴とする通信方法。
【発明の詳細な説明】
【技術分野】
【０００１】
本発明は、携帯端末及び通信方法に関する。
【背景技術】
【０００２】
周知のように、携帯端末は、位置登録している基地局の通信エリアから他の基地局の通信エリア内へ移動すると他の基地局に対する位置登録を開始する。そして、携帯端末は、他の基地局に対する位置登録の開始と共に他の基地局から送信される通信チャネルの受信を開始する。しかし、他の基地局の通信エリアの境界付近に携帯端末が位置している場合に、携帯端末が基地局から離れている為、携帯端末及び基地局がお互いに受信する信号の強度が通信可能なレベルより低くなってしまうことがあり、携帯端末はそのことによって他の基地局に対する位置登録に失敗してしまうことがある。その為、下記非特許文献１に記載されているように、携帯端末は、位置登録に失敗した場合に、位置登録リトライタイマによって位置登録を再度実行するまでの時間（１００秒）を計時し、位置登録リトライタイマがタイムアウトすると他の基地局に対して位置登録を再度実行する。
【非特許文献１】「第二世代コードレス電話システム標準規格  RCR STD-28」社団法人電波産業界（ARIB）
【発明の開示】
【発明が解決しようとする課題】
【０００３】
ところで、上記従来技術では、携帯端末は、他の基地局に対する位置登録に失敗しても、他の基地局から送信される通信チャネルを継続して受信する。しかし、着信信号は他の基地局に対する位置登録に成功するまでこれまで位置登録していた基地局の通信チャネルによって送信される為、携帯端末は、他の基地局の位置登録に成功するまで間、着信信号を受信することができない、すなわち着信することが出来ない状態になってしまう。
【０００４】
本発明は、上述した事情を鑑みたものであり、基地局に対する位置登録に失敗した場合に、従来より早く位置登録済の基地局の通信チャネルを受信することが出来る携帯端末及び通信方法を提供することを目的とする。
【課題を解決するための手段】
【０００５】
上記目的を達成するために、本発明では、携帯端末に係る第１の解決手段として、基地局と各種信号を送受信する通信部と、第１の基地局に対する位置登録に失敗すると、これまで位置登録していた第２の基地局から前記通信部が受信する信号の強度が通信可能なレベルにあるか否か判定し、前記第２の基地局の信号の強度が通信可能なレベルにあると判定した場合には、前記第２の基地局の通信チャネルを前記通信部に受信させる制御部とを具備するという手段を採用する。
【０００６】
本発明では、携帯端末に係る第２の解決手段として、上記第１の解決手段において、前記制御部は、前記第１の基地局に対する位置登録に失敗すると、所定の基地局検出時間が経過した後に前記第２の基地局から受信する信号の強度が通信可能なレベルにあるか否か判定するという手段を採用する。
【０００７】
本発明では、携帯端末に係る第３の解決手段として、上記第２の解決手段において、前記制御部は、前記第１の基地局に対する位置登録に失敗すると、所定の位置登録リトライ時間が経過した後に前記第１の基地局に対する位置登録を前記通信部に再実行させると共に、前記基地局検出時間を前記位置登録リトライ時間より短く設定するという手段を採用する。
【０００８】
また、本発明では、通信方法に係る第１の解決手段として、基地局と各種信号を送受信する通信ステップと、第１の基地局に対する位置登録に失敗すると、これまで位置登録していた第２の基地局から前記通信ステップが受信する信号の強度が通信可能なレベルにあるか否か判定し、前記第２の基地局の信号の強度が通信可能なレベルにあると判定した場合には、前記第２の基地局の通信チャネルを前記通信ステップに受信させる制御ステップとを具備するという手段を採用する。
【発明の効果】
【０００９】
本発明によれば、携帯端末において、制御部が、第１の基地局に対する位置登録に失敗すると、これまで位置登録していた第２の基地局から前記通信部が受信する信号の強度が通信可能なレベルにあるか否か判定し、前記第２の基地局の信号の強度が通信可能なレベルにあると判定した場合には、前記第２の基地局の通信チャネルを前記通信部に受信させることによって、基地局に対する位置登録に失敗した場合に、従来より早く位置登録済の基地局の通信チャネルを受信することが出来る。
【発明を実施するための最良の形態】
【００１０】
以下、図面を参照して、本発明の一実施形態について説明する。本実施形態は、ＰＨＳ（Personal Handyphone System）端末に関する。
図１は、本実施形態に係るＰＨＳ端末Ａを備える無線通信システムを示す概略構成図である。なお、ＰＨＳ端末Ａは、本実施形態における携帯端末である。この無線通信システムは、ＰＨＳ端末Ａ、基地局Ｂ１、基地局Ｂ２、交換局Ｃ１、交換局Ｃ２及びネットワークセンタＤによって構成されている。
【００１１】
ＰＨＳ端末Ａは、基地局Ｂ１またはＢ２と相互に制御チャネル及び通信チャネルを送受信する。基地局Ｂ１及びＢ２は、所定間隔をあけて離散的に配置されており、各々に割り当てられたセルＳ１及びＳ２においてＰＨＳ端末Ａと通信を行う。基地局Ｂ１は交換局Ｃ１に接続されており、交換局Ｃ１の指示に基づいて音声着信信号等の各種信号をＰＨＳ端末Ａに送信する。また、基地局Ｂ２は、交換局Ｃ２に接続されており、交換局Ｃ２に基づいて各種信号をＰＨＳ端末Ａに送信する。この図１では、ＰＨＳ端末Ａは、最初に基地局Ｂ１のセルＳ１内に位置し、その後矢印方向への移動によって基地局Ｂ２のセルＳ２内に移動することを示している。すなわち、ＰＨＳ端末Ａは、まず基地局Ｂ１に対して位置登録を行い、基地局Ｂ２のセルＳ２への移動によって、次に基地局Ｂ２に対して位置登録を行う。
【００１２】
交換局Ｃ１は基地局Ｂ１及び図示しないその他の複数の基地局と接続し、交換局Ｃ２は基地局Ｂ２及び図示しないその他の複数の基地局と接続する。そして、交換局Ｃ１及び交換局Ｃ２は、図示しない公衆ネットワークを介して図示しないその他交換局と接続している。
ネットワークセンタＤは、交換局Ｃ１及び交換局Ｃ２と接続する。そして、ネットワークセンタＤには、ＰＨＳ端末Ａによる基地局Ｂ１または基地局Ｂ２に対する位置登録によって、交換局Ｃ１または交換局Ｃ２からＰＨＳ端末Ａの位置登録先の一斉呼出エリアを示す位置登録情報が登録される。このネットワークセンタＤは、この位置登録情報に基づいて、交換局Ｃ１と接続する基地局Ｂ１または交換局Ｃ２と接続する基地局Ｂ２にＰＨＳ端末Ａへ着信信号等の各種信号を送信させる。
【００１３】
次に、ＰＨＳ端末Ａの機能構成を、図２を参照して説明する。図２は、本実施形態に係るＰＨＳ端末Ａの機能構成を示す機能ブロック図である。図１に示すように、通信部１、操作部２、表示部３及び制御部４から構成される。
通信部１は、制御部４による指示の下、基地局Ｂ１及びＢ２と音声信号、データ信号及び制御信号等の各種信号を制御チャネルまたは通信チャネルによって送受信する。
【００１４】
操作部２は、テンキー、方向キー、及び各種機能キー等の各種操作キーから構成されており、これらの操作キーに対するユーザの操作指示を受け付けて制御部４に出力する。
表示部３は、例えば液晶ディスプレイまたは有機ＥＬ（Electronic Luminescent）ディスプレイ等であり、制御部４から入力される画像信号に基づいて画像や文字からなる各種画面を表示する。
【００１５】
制御部４は、ＣＰＵ（Central Processing Unit）、ＲＯＭ（Read Only Memory）及びＲＡＭ（Random Access Memory）から構成される内部メモリ並びに上記通信部１、操作部２、表示部３と信号の入出力をそれぞれ行うインタフェース回路等から構成されており、上記ＲＯＭに記憶された制御プログラム、通信部１が受信する各種信号及び操作部２が受け付ける操作指示基づいてＰＨＳ端末Ａの全体動作を制御する。
なお、上記ＲＯＭに記憶されている制御プログラムは、位置登録プログラムを備えており、制御部４はこの位置登録プログラムに基づいて位置登録処理を実行する。なお、制御部４が実行する位置登録処理については、詳細を後述する。
【００１６】
次に、上記構成のＰＨＳ端末Ａの位置登録処理について、図３を参照して詳しく説明する。図３は、本実施形態に係るＰＨＳ端末Ａの位置登録処理を示すフローチャートである。
まず、上記において図１を参照して説明したように、ＰＨＳ端末Ａは、基地局Ｂ１のセルＳ１内に位置し、その後矢印方向への移動によって基地局Ｂ２のセルＳ２内に移動する。
制御部４は、通信部１が基地局Ｂ１から受信する制御チャネルの電界強度を測定し、基地局Ｂ１の制御チャネルの電界強度が通信することが可能なレベル以上であるか否か判定し（ステップＳ１）、ステップＳ１において『ＹＥＳ』と判定した場合には、すなわち通信部１が基地局Ｂ１から受信する制御チャネルの電界強度が通信することが可能なレベル以上であると判定した場合には、基地局Ｂ１に対する位置登録を継続すると共に基地局Ｂ１からの通信チャネルを継続して通信部１に受信させる。
【００１７】
制御部４は、ステップＳ１において『ＮＯ』と判定した場合には、すなわち通信部１が基地局Ｂ１から受信する制御チャネルの電界強度が通信することが可能なレベル未満であると判定した場合には、ＰＨＳ端末Ａの周辺に位置する基地局Ｂ１、Ｂ２及び図示しないその他の基地局から通信部１が受信する制御チャネルの電界強度を測定し（ステップＳ２）、各基地局毎の制御チャネルの電界強度を登録した基地局電界強度リストを作成し（ステップＳ３）、この基地局電界強度リストに基づいて制御チャネルの電界強度が最も強い基地局を基地局Ｂ２と判定する。
【００１８】
そして、制御部４は、制御チャネルの電界強度が最も強い基地局Ｂ２に位置登録要求を通信部１に制御チャネルによって送信させ（ステップＳ４）、通信部１が受信する通信チャネルを基地局Ｂ１が送信する通信チャネルから基地局Ｂ２が送信する通信チャネルに切り替える。（ステップＳ５）。
【００１９】
制御部４は、通信部１が制御チャネルによって基地局Ｂ２から受信する位置登録応答に含まれる位置登録成否情報に基づいて基地局Ｂ２に対する位置登録が成功したが否か判定し（ステップＳ６）、ステップＳ６において『ＹＥＳ』と判定した場合には、すなわち位置登録応答に含まれる位置登録成否情報に基づいて基地局Ｂ２に対する位置登録に成功したと判定した場合には、処理を終了する。制御部４は、ステップＳ６において『ＮＯ』と判定した場合には、すなわち位置登録応答に含まれる位置登録成否情報に基づいて基地局Ｂ２に対する位置登録に失敗したと判定した場合には、位置登録リトライタイマ及び位置登録済基地局検出タイマを起動する（ステップＳ７）。
【００２０】
なお、上記ステップＳ４の処理によってＰＨＳ端末Ａが基地局Ｂ２に対する位置登録に成功した場合には、ＰＨＳ端末Ａの位置登録先が基地局Ｂ２を含む一斉呼出エリアであることを示す位置登録情報が交換局Ｃ２を介してネットワークセンタＤに登録される。また、上記ステップＳ４の処理によってＰＨＳ端末Ａが基地局Ｂ２に対する位置登録に失敗した場合には、ＰＨＳ端末Ａの位置登録先が基地局Ｂ１を含む一斉呼出エリアであることを示す位置登録情報がネットワークセンタＤに登録されたままとなる。
【００２１】
上記ステップＳ６において起動される位置登録リトライタイマ及び位置登録済基地局検出タイマの詳細を説明する。位置登録リトライタイマとは、位置登録に失敗した場合において、基地局Ｂ２に位置登録要求を通信部１が再送信するまでの時間を計時するタイマである。なお、本実施形態におけるＰＨＳ端末Ａでは、「第二世代コードレス電話システム標準規格  ＲＣＲ  ＳＴＤ−２８」（社団法人電波産業界発行）の記載に従い、基地局Ｂ２に位置登録要求を通信部１が再送送信するまでの時間、すなわち位置登録リトライタイマがタイムアウトするまでの時間を『１００秒』とする。
【００２２】
位置登録済基地局検出タイマは、位置登録に失敗した場合において、ＰＨＳ端末Ａの位置登録先としてネットワークセンタＤに登録されている基地局Ｂ１の制御チャネルの電界強度の再測定を開始するまでの時間を計時するタイマである。そして、この位置登録済基地局検出タイマがタイムアウトするまでの時間は、位置登録リトライタイマがタイムアウトするまでの時間である１００秒より短い時間にする。なお、位置登録済基地局検出タイマがタイムアウトするとまでの時間は、『１５秒』とする。
【００２３】
制御部４は、ステップＳ７の後に、位置登録済基地局検出タイマが１５秒の計時によってタイムアウトしたか否か判定し（ステップＳ８）、ステップＳ８において『ＹＥＳ』と判定した場合には、すなわち位置登録済基地局検出タイマがタイムアウトしたと判定した場合には、通信部１が基地局Ｂ１から受信する制御チャネルの電界強度を再測定し（ステップＳ９）、基地局Ｂ１の制御チャネルの電界強度が通信することが可能なレベル以上であるか否か判定する（ステップＳ１０）。
【００２４】
制御部４は、ステップＳ１０において『ＮＯ』と判定した場合には、すなわち通信部１が受信する基地局Ｂ１の制御チャネルの電界強度が通信することが可能なレベル未満である場合には、位置登録済基地局検出タイマを再度起動し（ステップＳ１１）、上記ステップＳ８の処理に移行する。制御部４は、上記ステップＳ１０において『ＹＥＳ』と判定した場合には、すなわち通信部１が受信する基地局Ｂ１の制御チャネルの電界強度が通信することが可能なレベル以上である場合には、通信部１が受信する通信チャネルを基地局Ｂ２が送信される通信チャネルから基地局Ｂ１が送信する通信チャネルに切り替え（ステップＳ１２）、処理を終了する。
【００２５】
制御部４は、ステップＳ８において『ＮＯ』と判定した場合には、すなわち位置登録済基地局検出タイマはタイムアウトしていないと判定した場合には、位置登録リトライタイマが１００秒の計時によってタイムアウトしたか否か判定し（ステップＳ１３）、ステップＳ１３において『ＮＯ』と判定した場合には、すなわち位置登録リトライタイマがタイムアウトしていないと判定した場合には、上記ステップＳ８の処理に移行し、ステップＳ１３において『ＹＥＳ』と判定した場合には、すなわち位置登録リトライタイマがタイムアウトしたと判定した場合には、基地局Ｂ２に位置登録要求を通信部１に制御チャネルによって送信させる（ステップＳ１４）。
【００２６】
制御部４は、通信部１が制御チャネルによって基地局Ｂ２から受信する位置登録応答に含まれる位置登録成否情報に基づいて基地局Ｂ２に対する位置登録に成功したか否か判定し（ステップＳ１５）、ステップＳ１５において『ＹＥＳ』と判定した場合には、すなわち位置登録応答に含まれる位置登録成否情報に基づいて基地局Ｂ２に対する位置登録に成功したと判定した場合には、処理を終了する。制御部４は、ステップＳ１５において『ＮＯ』と判定した場合には、すなわち位置登録応答に含まれる位置登録成否情報に基づいて基地局Ｂ２に対する位置登録に失敗したと判定した場合には、位置登録リトライタイマを再度起動し（ステップＳ１６）、上記ステップＳ８の処理に移行する。
【００２７】
以上説明したように、ＰＨＳ端末Ａにおいて、基地局Ｂ２に対して位置登録に失敗した場合に、制御部４が、位置登録リトライタイマと共に位置登録済基地局検出タイマを起動し、位置登録済基地局検出タイマのタイムアウトによってＰＨＳ端末Ａの位置登録先としてネットワークセンタＤに登録されている基地局Ｂ１の制御チャネルの電界強度を測定し、基地局Ｂ１の制御チャネルの電界強度が通信することが可能なレベル以上になっていた場合には、通信部１が受信する通信チャネルを基地局Ｂ２が送信する通信チャネルから基地局Ｂ１が送信する通信チャネルに切り替えることによって、位置登録に失敗した場合に、従来より早く位置登録済の基地局の通信チャネルを受信することが出来る。
また、ＰＨＳ端末Ａにおいて、位置登録済基地局検出タイマがタイムアウトするまでの時間を位置登録リトライタイマがタイムアウトするまでの時間（１００秒）より短い１５秒に設定することによって、１００秒間待たなくても位置登録済の基地局の通信チャネルを受信することが出来る。
【００２８】
以上、本発明の一実施形態について説明したが、本発明は上記実施形態に限定されることなく、例えば以下のような変形が考えられる。
（１）上記実施形態では、位置登録済基地局検出タイマがタイムアウトするまでの時間を１５秒としたが、本発明はこれに限定されない。
位置登録済基地局検出タイマがタイムアウトするまでの時間は、位置登録リトライタイマがタイムアウトするまでの時間である１００秒より短い時間であれば、例えば５秒、１０秒または２０秒であってもよい。
【図面の簡単な説明】
【００２９】
【図１】本発明の一実施形態に係るＰＨＳ端末Ａを備える無線通信システムを示す概略構成図である。
【図２】本発明の一実施形態に係る実施形態に係るＰＨＳ端末Ａの機能構成を示す機能ブロック図である。
【図３】本発明の一実施形態に係るＰＨＳ端末Ａの位置登録処理を示すフローチャートである。
【符号の説明】
【００３０】
Ａ…ＰＨＳ端末、Ｂ１，Ｂ２…基地局、Ｃ１，Ｃ２…交換局、Ｄ…ネットワークセンタ、１…通信部、２…操作部、３…表示部、４…制御部
【図１】
0005554894.tif 000002
【図２】
0005554894.tif 000003
【図３】
0005554894.tif 000004